Podtech/llm-jp-corpus-v4-ja_patent huggingface dataset:
(57)【要約】【課題】  物体の計測には巻尺や定規を用いられたそれは労働的負担である、したがって鏡を利用して鏡に映った物体を計測しやすいように鏡の表面に目安となる基準線や角度を示す線を光で表示させ物体を鏡に映しおおまかな計測をしやすくする。【解決手段】  本発明は鏡に不可欠だった鏡裏面に加工してある銀薄膜をあえて目的の基準線状に剥ぎ取り鏡裏面から光を当てることにより鏡表面に基準となる光の線を表示させる。【選択図】図１
2008284314.tif 000002
【特許請求の範囲】
【請求項１】
鏡表面に裏側から光を透過させ光の基準線を表示させることを特徴とする鏡。
【請求項２】
鏡表面に裏側から光を透過させ光の描画・文字・模様・記号等を表示させることを特徴をする鏡。
【発明の詳細な説明】
【技術分野】
【０００１】本発明は鏡の裏面に加工を加えることで鏡表面に光の線を表示させ鏡に映った物体の計測をしやすくするものである。
【背景技術】
【０００２】鏡は光を反射させる目的で使われることもあるが一般的には物体をありのままに映し出すだけだった。
【発明の開示】
【発明が解決しようとする課題】
【０００３】物体の計測には巻尺や定規を用いられたそれは労働的負担である、したがって鏡の表面に目安になる基準線や角度を示す線を光で表示させ物体を鏡に映し出しおおまかな計測がしやすくなる。
【課題を解決するための手段】
【０００４】本発明は鏡に不可欠だった鏡裏面に加工してある銀薄膜をあえて線状に剥ぎ取り鏡裏面から光を当てることにより鏡表面に基準になる光の線を表示させる。
【発明の効果】
【０００５】上述のように本発明の鏡は鏡表面に光の線を表示させることにより鏡に映った物体の計測がしやすくなるのは勿論、光を遮断消灯することによりほぼ通常の鏡として使うことができる。例として鏡に自分の姿を映したとき垂直な中心線が表示されていれば姿勢の傾きを確認できる、また水平線が表示されていれば左右の高低を知ることができる、これにより前述の欠点を解決しようとするものである。また発光源を遮断消灯することでほぼ通常の鏡として使うことができる。
【発明を実施するための最良の形態】
【０００６】鏡裏面に施されている銀薄膜を線状に剥ぎ取りその部分だけを素ガラス状態にした鏡を枠で囲み中に発光源を入れて裏板で密閉して発光させる、鏡表面には均一な明るい光の線を表示させるために鏡裏面と裏板の内側に光の反射効率を高めるためアルミ箔を張る、これにより光の均一が達成される。
【産業上の利用可能性】
【０００７】本発明は量産されている規格品の鏡を加工できてコスト的に低く容易にできる。【０００８】本発明は企業名・企業や店名ロゴ・模様を表示させることで宣伝効果とイメージを高めることを有する。【０００９】本発明は自由な曲線で線画を表示することが可能で商業店舗内等のインテリア性を高めることを有する。【００１０】本発明は特に衣料業界や健康産業界や飲食業界で利用の可能性を有する。
【図面の簡単な説明】
【００１１】
【図１】本発明の鏡の実施例を示す正面図である。
【図２】本発明の鏡の一部切欠断面図である。
【図３】鏡本体を光が透過させるために行う加工詳細断面図である。
【図４】本発明の自由な曲線で表現した店名ロゴとイメージイラストの実施例である。
【図５】実施図
【符号の説明】
【００１２】１、発光源
２、枠
３、鏡表面
４、基準線（参考例）
５、発行源
６、背板
７、アルミ箔
８、アルミ箔
９、アルミ箔
１０、アルミ箔
１１、両面テープ
１２、鏡本体断面
１３、鏡裏面銀薄膜
１４、加工箇所
１５、店名ロゴ
１６、イメージイラスト
【図１】
2008284314.tif 000003
【図２】
2008284314.tif 000004
【図３】
2008284314.tif 000005
【図４】
2008284314.tif 000006
【図５】
2008284314.tif 000007
(57)【要約】【課題】  従来より多目的なスリッパを提供する。【解決手段】二層の低反発（ウレタン）スリッパにより騒音・振動を軽減させる。幼児用スリッパとしても適している。【選択図】図４
2008284316.tif 000002
【特許請求の範囲】
【請求項１】
足とスリッパのフィット感を保ち、足と床に触れる部分にウレタンを使用し、動きやすく特に幼児用は脱げにくく工夫し、騒音・振動を軽減出来る事を特徴とするスリッパ。
【発明の詳細な説明】
【技術分野】
【０００１】本発明は、低反発（ウレタン）素材を利用し、特に集合住宅などの近隣への騒音・振動を軽減させる、スリッパに関するものである。
【背景技術】
【０００２】従来、スリッパは室内履きとして足裏への、汚れ・冷え防止などとして活用しているが本発明は、それ以外に防音・振動軽減を目的とするものである。
【発明の開示】
【発明が解決しようとする課題】
【０００３】従来のスリッパは、足とスリッパのフィット感がないため踵から床に落ちるのでバタバタと騒音を発する。また、スリッパの裏面が硬いため、床に触れると騒音を発する【０００４】現在、市販されているスリッパを幼児に履かせても、歩きずらく脱げやすい。
本発明は、以上の問題点を解決し、動きやすく騒音・振動を軽減させるものである。
【課題を解決するための手段】
【０００５】二層の低反発（ウレタン）により、足裏に触れる部分は体圧で沈み過ぎないよう硬めの低反発（ウレタン）を使用し、足面は肌触りのよい（タオル地など）ものを使用床面には、汚れなどを落とせるような（ナイロン地など）素材で二層のウレタンを包み、足を覆う部分は、リストバンドなどに使われる伸縮性のある素材を使用することにより、足とスリッパのフィットし踵から落ちる事はない。【０００６】幼児用は踵部分にも伸縮性素材（細）を使用し、動きやすく脱げにくい。
本発明は、以上の構成よりなる動きやすく、騒音・振動軽減のためのスリッパである。
【発明の効果】
【０００７】本発明により、従来のスリッパより多目的なメリットのある室内履きを提供することができる。
【発明を実施するための最良の形態】
【０００８】図１（Ａ）足裏に触れるウレタンは体圧で沈みすぎないよう、固めのウレタンを使用する。
図２（Ｂ）床面に触れるウレタンは、騒音・振動を軽減させるため、柔らかめのウレタンを使用する。
図２（Ｃ）足面に触れる部分は肌触りの良い生地を使用する。
図２（Ｄ）足を覆う部分は、リストバンドなどに用いられる伸縮性のある素材を使用し、足とスリッパのフィット感を良くする。
図２（Ｅ）床面に触れる部分は、汚れなどを落とせるよう撥水性のあるものを使用する。
図３（Ｆ）スリッパ底部は、幼児など動きやすいよう滑り止めを用意。
図４（Ｇ）幼児用に限り動いても脱げにくいよう図２（Ｄ）の素材を用意。
【図面の簡単な説明】
【０００９】
【図１】二層ウレタン部斜視図
【図２】スリッパ本体斜視図
【図３】スリッパ底部正面図
【図４】幼児用スリッパと足部斜視図
【符号の説明】
【００１０】（Ａ）クッション（Ｂ）クッション（Ｃ）クッションカバー
（Ｄ）足部ストッパー（Ｅ）クッションカバー（Ｆ）滑り止め（Ｇ）足部ストッパー
【図１】
2008284316.tif 000003
【図２】
2008284316.tif 000004
【図３】
2008284316.tif 000005
【図４】
2008284316.tif 000006
(57)【要約】【課題】装身具を利用者が１点単位として購入した場合、着用時の選択の幅が限定されるが、１度に同じ種類の異なるデザインの多くの点数を購入した場合には、その多くの点数が選択の幅を広げ、また提供者にとっては、多くの点数を一度に提供するため効率のよい販売が出来るようにする。【解決手段】装身具で１個（例えば指輪）、１組（例えば耳飾り）、１セット（例えば指輪と耳飾りと首飾り等の組み合わせ）、これらを１点とし、同じ種類で異なるデザインの装身具の５点以上を１つのパッケージとして利用者に提供する。【選択図】なし【特許請求の範囲】
【請求項１】
装身具の１個（例えば指輪）、１組（例えば耳飾り）、１セット（例えば指輪と耳飾りと首飾り等の組み合わせ）、これらを１点とし、同じ種類で異なるデザインの装身具の５点以上を１つのパッケージとして利用者に提供する。
【発明の詳細な説明】
【技術分野】
【０００１】  本発明は、利用者に装身具の選択の幅を広げ、提供者に効率のよい装身具の販売に関することである（本発明の対象とする装身具とは、アンクレット、耳飾り、首飾り、腕輪、ブローチ、かんざし、指輪の７種類を指す。）。
【背景技術】
【０００２】  従来の装身具は、多くの場合基本的に、提供者と利用者の間で１点を単位として売買されている。
【発明の開示】
【発明が解決しようとする課題】
【０００３】  装身具を利用者が１点単位として購入した場合、着用時の選択の幅が限定されるが、１度に同じ種類の異なるデザインの多くの点数を購入した場合には、その多くの点数が選択の幅を広げ、また提供者にとっては、多くの点数を１度に提供するため効率のよい販売が出来るようにする。
【課題を解決するための手段】
【０００４】  装身具で１個（例えば指輪）、１組（例えば耳飾り）、１セット（例えば指輪と耳飾りと首飾り等の組み合わせ）、これらを１点とし、同じ種類で異なるデザインの装身具の５点以上を１つのパッケージとして利用者に提供する。
【発明の効果】
【０００５】  装身具を利用する側では着用時の選択の幅が広がり、提供する側では多くの点数を１つのパッケージとすることにより効率のよい販売をすることが出来る。
【発明を実施するための最良の形態】
【０００６】  パッケージには、商品番号等のほかに、その装身具の具体的な（例えば「白」）、あるいはイメージ（例えば「夏」）するタイトルをつける。
【産業上の利用可能性】
【０００７】  上記のことから、必然的にこの発明の装身具は素材が安価で大量生産、多種類の方向を示し、装身具の価値は素材の高価さより、全ての造形作品と同様、装身具もデザインの優位性が価値を高めることになる。
(57)【要約】【課題】従来の６面体のサイコロは１から６までの数字しかなく、学習で加減算するにも１０までの数字があるのがよい。【解決手段】従来のサイコロは６面体であるが、１から２０までの数字がある５色２０面体を考案した。１から２０までの数字があることは学習で四則演算するにも計算しやすく、ゲームをするにも面白味が増し、５ツの異なる色があることは更にゲームの面白味をますものである。【選択図】図１
2008284324.tif 000002
【特許請求の範囲】
【請求項１】
各面にそれぞれ１から２０までの数字をランダムに印し異なる５色を１段から４段まで各段に配色し、１色４回ずつ表面に現れるように構成したことを特徴とする５色正２０面体である。
【請求項２】
各面に対応する１から２０までの数字がアラビア数字、ローマ数字またはカズを表す点（たとえば１０なら１０コの点、５なら５コの点）を用いて表されているか、また各段毎に異なる５色で表示したことを特徴とする上記第１項に記載された５色正２０面体である。
【請求項３】
５色正２０面体の角（かど）に均等にわずかな丸味をつけたことを特徴とする上記第１項から第２項までのいずれかに記載された５色正２０面体である。
【発明の詳細な説明】
【技術分野】
【０００１】この発明は従来の多面体では不可能な多くのゲームを可能とし、加減の計算をして得点票に記入して脳を活性化させる新規な正多面体を提供するものである。
【背景技術】
【０００２】特許文献１では正２０面体であるものの数字は１から１０までの数字である多面体の欠点があった。
従って、サイコロのようなこの５色正２０面体の発明の目的は１から２０までの数字にもとづいて教育上有益でかつ脳を活性化させる計算や５色２０コロゲーム等に使用可能な５色正２０面体を提供することである。
【特許文献１】特開昭４７−１５２３４
【発明の開示】
【発明が解決しようとする課題】
【０００３】特許文献１では正２０面体であるが数字は１から１０までの数字であるが、この発明の５色正２０面体はそれぞれ１から２０までの数字を印し、各段に異なる５ツの色を配色する。
【課題を解決するための手段】
【０００４】上記課題を解決するため従って５色正２０面体表面上に各数字がそれぞれ１度ずつ表れ、異なる５ツの色がそれぞれ４度ずつ表れるように構成した５色正２０面体からなる。【０００５】以下この発明の実施例を図１、図２、図３、図４について詳しく説明する。５色正２０面体を構成する５色正２０面体は均一な状態で多少の丸味を付けた角（かど）をもち、各面にはそれぞれ１から２０までの数字が印され、また、各面にそれぞれ５ツの色が配色され、これらの色は５組の色群に分割される。【０００６】数字７以上の面をもつ正多面体のうちでは、２０の面数をもつのは正２０面体だけであり、従って１から２０までの数字を使用する多面体としては５色正２０面体が最適である。さらに５色正２０面体はころがすのにも都合のよい形をしており、この点では立方体よりもすぐれている。
また５色正２０面体の角（かど）に均等に丸味をつけることにより一層ころがしやすい状態となる。【０００７】数字の自体については現在広く使用されているアラビア数字、ローマ字、数を表す点があるが、アラビア数字が最も好適であり望ましい。また各面上の数字は５色正２０面体内に刻み込むのが理想的であり、この場合は溝が深すぎて重心が偏ることのないように注意する。さらに数字６と９は識別しやすくするために‘６と‘９のようにこれらの数字の左上に小さな点をつけるとよい。また刻印した数字は５色正２０面体本体とはっきり識別できる色で着色する。１段から４段の各段に配色する異なる５色は比較的薄い色（たとえば桃色、黄色、黄緑色、空色、白色など）として、数字には黒を用いるとよい。【０００８】５色正２０面体の大きさは任意であるが、一辺の長さを１５ｍｍ〜３０ｍｍとしたものが最も使いやすい。【０００９】さらに５色正２０面体の材質としては木、粘土、プラスチック、金属、または陶磁器などが挙げられるが、多量に生産するには木、粘土、プラスチックが最適であり、なかでもポリスチレンとゼルロースアセテートが好適であるが、特に硬度、耐吸水性、成形時の非収縮性および経済性などから見てポリスチレンがすぐれている．これらのプラスチック材料はいずれも着色しやすい性質をもっているから数字をしるすのは楽である。【００１０】この発明の５色正２０面体は使用する材料に応じて中実、中空いずれに成形してもよい。
【発明の効果】正２０面体で数字が１から２０まであるので、２個以上の５色正２０面体を使用すると加減乗除の四則演算の計算が可能である。
【発明の実施するための最良の形態】
【００１１】たとえば、２個の５色２０面体を使用する場合、２ツの数字を足す加算、大きい数字から小さい数字を引く減算、２ツの数字を掛ける乗算、大きい数字を小さい数字で割る除算（小数点が出る場合、小数点以下は切り捨てるなり、小数点２位以下は切り捨てるなど適宜に決めてよい）ができる。
【００１２】００１１項の四則演算のほかに５色正２０面体を用いたゲームがある。
下記の２つのゲームはこの発明の５色正２０面体を使用するもののうちで最も一般的なゲームであり、いずれも２人またはそれ以上の人数で行い、使用するものは５色正２０面体２個または３個と筆記用具および紙だけであり、またいずれの場合も特定の数字と特定の色を指定することはない。
【００１３】ゲーム１
５色２０コロゲームツー（５色正２０面体を２個用いる場合）
このゲームは小学低学年や初心者向けで各人が２個の５色正２０面体を投げて点数表にスコアの点数とボーナスの点数を加えた小計と３イニングか５イニングの合計の点数の多い人が勝ちとする。
親の決め方は仮の親が５色正２０面体を１個振って時計回りに順番に行い、数字の大きい人が親となる。２回戦以降は一番勝った人が親となる。
スコアとボーナスのルールは別紙ページ１０を参照のこと。
【００１４】ゲーム２
５色正２０コロゲームスリー（５色正２０面体を３個用いる場合）
このゲームは各人が３個の５色正２０面体をなげて点数表にスコアの点数とボーナスの点数を加えた小計と３イニングか５イニングの合計の点数の多い人が勝ちとする。
親の決め方は仮の親が５色正２０面体を１個振って時計回りに順番に行い、数字の大きい人が親となる。２回戦以降は一番勝った人が親となる。
スコアとボーナスのルールは別紙ページ１１とページ１２を参照のこと。
【００１５】点数表は下図のとおりである
2008284324.tif 000003
【図面の簡単な説明】
【００１６】
【図１】本考案の５色正２０面体の基体である正２０面体を示す。裏側の点線は稜線を示す。
【図２】本考案の５色正２０面体の見取図を示す。
【図３】裏側の１０面となる。
【図４】５色正２０面体の展開図
【図１】
2008284324.tif 000004
【図２】
2008284324.tif 000005
【図３】
2008284324.tif 000006
【図４】
2008284324.tif 000007
(57)【要約】【課題】足裏に不規則な刺激を感じられるようにできる。【解決手段】不規則な形の木片“等”を半固定し  歩くとスリッパと足の間で少し動く特徴にした。【選択図】図１
2008284328.tif 000002
【特許請求の範囲】
【請求項１】
足の裏が接触する範囲に不規則な形の木片“等”を半固定した  スリッパ
【発明の詳細な説明】
【技術分野】
【０００１】この発明は、あぜ道の感覚をスリッパに加えたものである。
【背景技術】
【０００２】従来の健康スリッパは単一の感触のみである。
【発明の開示】
【発明が解決しようとする課題】
【０００３】従来の“健康”スリッパは単一な刺激のみである、本発明は上のような欠点を無くすために考えた。
【課題を解決するための手段】
【０００４】畦道の上を歩いている刺激等に近い、不規則な箇所による刺激を味わえるようにした。
【発明の効果】
【０００５】歩くと足裏に不規則な刺激を感じる。
【発明を実施するための最良の形態】
【０００６】不規則な形の木片“等”をスリッパの足裏が接触する面に半固定した。
【図面の簡単な説明】
【０００７】
2008284328.tif 000003
【符号の説明】
【０００８】１    スリッパ
２    木片等
３    ワイヤー（糸類等）
【図１】
2008284328.tif 000004
【図２】
2008284328.tif 000005
【手続補正書】
【提出日】平成19年7月19日(2007.7.19)
【手続補正１】
【補正対象書類名】明細書
【補正対象項目名】０００７
【補正方法】変更
【補正の内容】
【０００７】
【図１】スリッパの側面図  図１ではスリッパの足裏が接触する面に、木などを半固定した上に、滑りにくい布などで覆って縫い付けた。
【図２】スリッパの上面図  図２の上面図は木などを不規則に並べあぜ道の石ころの感じを表現した。
(57)【要約】【課題】タッセルの留め外しを簡単にできるようにしたクリップ式ふさかけを提供する。【解決手段】口先が開いたクリップの片側が基盤に固定された、タッセルを挟み込んで留めることを特徴とする、クリップ式ふさかけ。【選択図】図３
2008284323.tif 000002
【特許請求の範囲】
【請求項１】
口先が開いたクリップの片側が基盤に固定された、タッセルを挟み込んで留めることを特徴とする、クリップ式ふさかけ。
【発明の詳細な説明】
【技術分野】
【０００１】本発明は、タッセルの留め外しを簡単にできるようにしたクリップ式ふさかけに関する物である。
【背景技術】
【０００２】従来、ふさかけには、タッセルを留める為の構造として、タッセルの端の環状になった紐を掛ける為の突起した構造をもっている。
また、ふさかけの懸吊する為の突起部分には、纏めたカーテンの撓みが戻る際に、簡単にふさかけからタッセルが外れない為の逆刺構造が施されている。
タッセル自体には、ふさかけに懸吊する為の環状になった紐が必要になっている。
【発明の開示】
【発明が解決しようとする課題】
【０００３】その為に、次のような問題点があった。
（イ）．タッセルの端の環状になった紐を掛ける為のふさかけの突起構造自体と、タッセルの端の環状になった紐自体が非常に小さい為、掛けるのに手間取る。また、カーテンを纏めてタッセルをふさかけに掛けるのは、通常、目覚め直後の意識のはっきりする前であることが多い為、さらに手間取る。
（ロ）．ふさかけのタッセルには逆刺構造が施されている為、タッセルを手で外そうとした時に、引っかかってしまうことがある。
（ハ）．タッセルには、ふさかけに留める為の環状になった紐部分が必要になる為、タッセル自体に、この加工が必要になる。また、構造的にも環状の紐部分を持たなければならないという制約が課せられてしまう。
本発明は、上記の問題点を解決しようとするものである。
【課題を解決するための手段】
【０００４】ふさかけのタッセル留め機能部分を、クリップ構造とし、タッセルの任意の部分を挟み込んで留める事を可能とする。クリップの片側は、ふさかけの基盤に一体化させ固定させる構造とする。さらに、クリップの口先は、開いた形状とする。この形状により、タッセルを留める際は、タッセルのみのを直接クリップの口先から押し込めんで留めることを可能とする。また、タッセルを外す際は、引き出して行える構造とする。上記のクリップの基盤固定とクリップの口先を開いた形状にすることにより、クリップ自体の操作が不要となり、タッセルの留め外しが容易に行えるようようにする。
以上を特徴とするクリップ式ふさかけである。
【発明の効果】
【０００５】本発明には、以下の効果がある。
（イ）．タッセルを留める際には、従来行っていたタッセルの環状になった紐部分を持って、ふさかけの突起に掛けるという煩わしい動作が、タッセル自体の任意の部分をクリップへ挟み込みこむだけて、簡単にタッセルを留めることができるようになる。
（ロ）．タッセルの取り外し時には、タッセル自体の任意の部分を引いて容易に外すことができるようになる。さらに、従来の逆刺構造による引っかかりも意識しなくてすむ。
（ハ）．タッセル自体に、ふさかけ用の環状の紐部分が不要となるため、環状の紐部分の加工作業、材料が不要になり、さらに、デザインに対する制約も大幅に減少する。
【発明を実施するための最良の形態】
【０００６】以下、本発明の実施の形態を説明する。
（イ）．可動側クリップ（１）に設けられた支軸（６）を、非可動側クリップ兼基盤（２）に設けられた支軸受け（３）にて枢支させる。
（ロ）．可動側クリップ（１）と非可動側クリップ兼基盤（２）に、挟持させる為のクリップ用バネ（５）を内設する。
（ハ）．可動側クリップ（１）と非可動側クリップ兼基盤（２）の先、すなわちクリップの口先は、クリップとして全閉状態であっても、開いている形状とする。
（二）．固定ネジ（４）にて、非可動側クリップ兼基盤（２）を壁に固定する。
なお、図４で示すように、クリップ機能を構成する為の可動側クリップ（１）、非可動側クリップ兼基盤（２）、支軸（６）、支軸受け（３）、クリップ用バネ（５）の代わりに、弾力性を有する樹脂又はゴム又は金属性の一体型クリップ（７）、基盤（８）、クリップ固定部（９）としても良い。
本発明は、以上の構成よりなっている。
本発明を利用してタッセルを留める際には、クリップの口先の隙間からタッセルを押し込む事で、タッセルをそのまま留める事ができる。また、タッセルを外す際には、クリップの支軸側から口先方向へ引き出すだけで外すことができる。
タッセルの両端をクリップで留める場合は、図５の状態となり、タッセルの片端が環状の紐となっている場合は、図６の状態で利用する。
【図面の簡単な説明】
【０００７】
【図１】本発明の側面図
【図２】本発明の正面図
【図３】本発明の断面図
【図４】本発明の他の実施例を示す断面図
【図５】本発明の使用状態を示す正面図
【図６】本発明の他の使用状態を示す正面図
【符号の説明】
【０００８】１  可動側クリップ
２  非可動側クリップ兼基盤
３  支軸受け
４  固定ネジ
５  クリップ用バネ
６  支軸
７  一体型クリップ
８  基盤
９  クリップ固定部
【図１】
2008284323.tif 000003
【図２】
2008284323.tif 000004
【図３】
2008284323.tif 000005
【図４】
2008284323.tif 000006
【図５】
2008284323.tif 000007
【図６】
2008284323.tif 000008
(57)【要約】【課題】  難渋する内視鏡ファイバーの挿入手技をファイバーが自動的に腸管の奥へ進む様にする事で容易とすると共に、小腸の奥までの挿入を可能とする事を課題とする。【解決手段】  前後に伸縮できる筒型の人工筋肉の外側に外側前方から内側後方へオール様の動きをなすオール型の人工筋肉を放射状に前後に取り付けたものを内視鏡ファイバーの長軸を中心軸として内視鏡ファイバーの外側に取り付け固定する事で内視鏡を前進させる事が可能となり、この内視鏡自動挿入機は外側より弾性カバーで覆うことで内部を清潔に保つ事ができる。放射状に前後に取り付けたオール型の人工筋肉の数や形態は問わない。【選択図】図２
2008284322.tif 000002
【特許請求の範囲】
【請求項１】
前後に伸縮できる筒型の人工筋肉の外側に外側前方から内側後方へオール様の動きをなすオール型の人工筋肉を放射状に前後に取り付けたもので、内視鏡ファイバーの長軸を中心軸として内視鏡ファイバーの外側に取り付け固定する事で内視鏡を前進させる事が可能な内視鏡自動挿入機。放射状に前後に取り付けたオール型の人工筋肉の数や形態は問わない。
【発明の詳細な説明】
【技術分野】
【０００１】  前後に伸縮できる筒型の人工筋肉の外側に外側前方から内側後方へオール様の動きをなすオール型の人工筋肉を放射状に前後に取り付けたもので、内視鏡ファイバーの長軸を中心軸として内視鏡ファイバーの外側に取り付け固定する事で内視鏡を前進させる事が可能とした内視鏡自動挿入機である。
【背景技術】
【０００２】  従来より内視鏡ファイバーの腸管の奥への挿入は困難を要し、大腸内視鏡ファイバーにおける挿入は挿入手技そのものが熟練の医師ですら時間を要し、患者に少なからず苦痛を強いるものとなっていて、一般的な大腸内視鏡ファイバーを用いた小腸の奥までの挿入は不可能であり、挿入時に患者に苦痛を生じる理由は大腸内視鏡ファイバーをある程度の力で外から押したり、引っ張ったりしなければ奥へは進めない部位が少なからず存在するからであり、外から加える力が大腸内視鏡ファイバーの先端に伝えにくい事が原因となっている。又、近年ダブルバルーン式のファイバーが開発され小腸までの観察が可能となっているが、やはり外から押したり引っ張ったりする作業が主体であり、先端に力が伝えにくい状態は改善されておらず一般の内視鏡カメラ検査より遥かに長い時間と苦痛を患者に強いるものとなっていて、操作が煩雑で、外からの外力をかなり要し、ファイバーの進行に難渋している。
【発明が解決しようとする課題】
【０００３】  この発明は難渋する内視鏡ファイバーの腸管の奥への挿入手技を内視鏡ファイバーが自動的に腸管の奥へ進む様にする事で容易とすると共に、小腸の奥までの挿入を可能とする事を課題とする。
【課題を解決するための手段】
【０００４】  これらの問題点を解決する為、前後に伸縮できる筒型の人工筋肉の外側に外側前方から内側後方へオール様の動きをなすオール型の人工筋肉を放射状に前後に取り付け内視鏡ファイバーの長軸を中心軸として内視鏡ファイバーの外側に取り付け固定する事で内視鏡を前進させる事ができる。
【発明の効果】
【０００５】  後方のオール型人工筋肉が外側に開大した状態で筒型の人工筋肉が伸展し前方のオール型人工筋肉が内側後方に閉じた状態で前進する。筒型の人工筋肉が伸びきった状態で前方のオール型人工筋肉が外側前方に開大し、後方のオール型人工筋肉が内側後方に閉じた状態で筒型の人工筋肉が収縮して後方のオール型人工筋肉を前方へ引き寄せる。この様な一連の動きにより内視鏡を消化管の奥へと進行させる事が可能となる。
【発明を実施するための最良の形態】
【０００６】  本発明は前後に伸縮できる筒型前後収縮人工筋肉１の外側に外側前方から内側後方へオール様の動きをなす前方オール型人工筋肉３と後方オール型人工筋肉４を放射状に前後に取り付けたもので、内視鏡ファイバーの長軸を中心軸として内視鏡ファイバーの外側に本体接合部２を接合し取り付ける事で内視鏡を前進させる事が可能となる。前方オール型人工筋肉３と後方オール型人工筋肉４はヒンジ５と弾性の骨格により形成されるオール型人工筋肉骨格６を有する事でオールを漕ぐ様な外側前方から内側後方への動きに安定性を持たせている。後方オール型人工筋肉４が外側に開大した状態で筒型前後収縮人工筋肉１が伸展し前方オール型人工筋肉３が内側後方に閉じた状態で前進する。筒型前後収縮人工筋肉１が伸びきった状態で前方オール型人工筋肉３が外側前方に開大し、後方オール型人工筋肉４が内側後方に閉じた状態で筒型前後収縮人工筋肉１が収縮して後方オール型人工筋肉４を前方へ引き寄せる。この様な一連の動きにより内視鏡を消化管の奥へと進行させる事が可能である。又、全体を弾性カバーで覆う事で内部を清潔に保つ事が出来、洗浄して再使用する事が可能である。
本発明に電気信号を伝える方法はコードを内視鏡本体に埋没させ本体接合部２を通して伝える方法や内視鏡の外側にコードをテープやバンドで固定する方法などがある。又、オール型人工筋肉の数や形態は問わない。
【産業上の利用の可能性】
【０００７】  本発明はこの様な構造であるから、内視鏡ファイバーが自動的に腸管の奥へ進む様にする事で挿入手技を容易とすると共に、小腸の奥までの挿入を可能とする。特に、難渋する大腸内視鏡ファイバーの挿入においては挿入手技を容易とし、患者への苦痛を軽減し、更にはそのまま回腸、腔腸までの挿入を可能にできる。又、弾性カバーで覆うことで内部は外部から完全に遮断された状態で清潔に保つ事が出来、一般の内視鏡ファイバーと同様に洗浄して再使用する事が出来る。
【図面の簡単な説明】
【００８】
【図１】本発明の平面図。
【図２】内視鏡本体以外を断面とした本発明Ａ−Ａ線断面図。
【符号の説明】
【００９】１筒型前後収縮人工筋肉
２本体接合部
３前方オール型人工筋肉
４後方オール型人工筋肉
５ヒンジ
６オール型人工筋肉骨格
７内視鏡本体
【図１】
2008284322.tif 000003
【図２】
2008284322.tif 000004
(57)【要約】      （修正有）【課題】現在廃坑になっている鉱山の跡地を利用して、高レベル放射性産業棄廃棄物を水中充填する産業廃棄物遮断型最終処分場を提供する。【解決手段】利用可能な坑道の坑口は海抜約３６０ｍ地点に有り、総容量が１６，５００ｍ３であるが、廃棄物の搬入路については、地元住民に迷惑を掛けないようにするため、朝来市生野町円山地区に第５番抗に上部地帯より流出した湧水を排出している排水坑があり、この排水坑を拡幅して搬入路とする。【選択図】なし【特許請求の範囲】
【請求項１】
兵庫県朝来市生野町口銀谷地内にある。
旧三菱金属鉱業生野鉱業所管内に存在する地下の鉱産物の採掘後地を産業廃棄物の最終処分所にすることを請求する。
【発明の詳細な説明】
【技術分野】
【０００１】本発明は、現在廃坑にになっている鉱山の地下跡地を利用して、産業廃棄物処理場を作成するものである。【０００２】坑口より約５００ｍ地点に第１立坑があり第７番坑道まで降りていた、
第５番坑道より第２立坑があり第１３番坑道まで降りていた、【０００３】坑道と坑道との間隔は各２０ｍである【０００４】第１３番抗間での垂直距離は約５３０ｍである、
海抜３６０ｍ地点より５３０ｍ降りているので、海抜マイナス１７０ｍである【０００５】旧鉱山には太盛鉱区と金ケ瀬鉱区があり、五番抗で連結していた、【０００６】旧太盛鉱区を対象に作業を進める。【０００７】旧太盛鉱区の坑口は海抜約３６０ｍ地点に有ります、【０００８】第８番坑までは旧式な採掘方式が取らていたので坑道の延長は不明、【０００９】第９番抗、第１１番抗、第１３番はそれぞれに約１１００ｍの坑道がある、
坑道は高さ約２ｍ横幅約２．５ｍである、１１００ｍ×３（２ｍ×２．５ｍ）＝１６．５００ｍ３となる、廃棄物を埋設出来る数量である、【００１０】当該地を最終処分場として稼動させるならば溜まるっている水を総べてくみ出す必要があるため、その水量をトータルすれば確実な空洞要領がわる、
【発明の効果】
【００１１】現在わが国においては産業廃棄物遮断型最終処分場は少なく、高レベル放射性廃棄物を受け入れる所はない、いずれ何処かに処分場を作成しなけれ場ならない。原環機構はガラスと一緒に溶かして固化し、地下の最終処分場に埋める計画を進めているが、当該地はその計画にキッチリ一致している。
＾＾￥
(57)【要約】【課題】  下水道の普及していない地域の公園、山小屋等に設置したトイレは、定期的にバキュームカーにより回収し、処理設備のある場所まで搬送し処理しなければならなかった。【解決手段】  本発明では温度等の環境の影響を受けない凝結剤を使用することにより、固液を分離し、分離した水を洗浄水として再利用することとし、水の使用量をすくなくする。【選択図】  図１
2008284502.tif 000002
【特許請求の範囲】
【請求項１】
人又は畜産の排泄物を細かくする粉砕装置と、凝結剤と排泄物とを混合する攪拌装置と、排泄物と液体とを分ける分離装置と、分離された排泄物から水分を除去する乾燥装置と、分離された液体を便器の洗浄水又は畜産場の洗浄水として利用することを特徴とする水循環式のし尿処理装置。
【発明の詳細な説明】
【技術分野】
【０００１】
本発明は凝結剤により固液を分離し、水を再利用するし尿処理装置に関する。
【背景技術】
【０００２】
下水道設備の普及していない地域の住居、公園、河川敷、山小屋等にトイレを設置した場合、通常その排泄物は固形分と液体分とが一緒にし尿収容槽に溜めて、し尿がある程度の量になるとバキュームカー等で回収して浄化設備を有している場所に移送しここで処理していた。
【０００３】
特開平１１−１３１５５２号公報に生物処理を行い、排泄物の固形分と液体とに分離し、固形分はコンポスト化し、水分は浄化処理を行ってリサイクルする方法が提案されている。
【特許文献１】特開平１１−１３１５５２号公報
【発明の開示】
【発明が解決しようとする課題】
【０００４】
し尿収容槽を利用する方法は、悪臭が発生し、これを使用する者に不快感を与える。ここで運搬するし尿は液体と固体の両者であり、運送費も高い。微生物による浄化設備は、微生物は温度が低くなると働きが鈍くなり、浄化効率が悪くなるという欠点がある。微生物の管理は非常に微妙であり、予期せぬ出来事により微生物が浄化しないことも生じるおそれがある。
【課題を解決するための手段】
【０００５】
本発明は水洗のトイレであっても、不安定な生物処理でなく安定した凝結剤による排泄物の固液分離を行い、分離した水をリサイクルすることとしている。
【０００６】
前記目的のために本発明では、し尿を細かく砕く粉砕機と、細かく砕いたし尿と凝結剤とを攪拌する攪拌装置と、固液を分離する沈殿槽と、分離した液体を洗浄水として回収するポンプとで構成されている。
【発明の効果】
【０００７】
本発明による水循環式のし尿処理装置によれば、水洗とすることで悪臭が発生せず、し尿に含まれている水をリサイクルして洗浄水とすることで、水洗トイレで使用する水の量を少なくすることができる。またトイレを使用する者に不快感を与えない。
【発明を実施するための最良の形態】
【０００８】
以下、本発明の一実施例につき図面を使用し詳細に説明する。図１はこの水循環式のし尿処理装置の全体構成図である。人が排泄するための大便器１があり、小便器は省略されている。排泄物はフラッシュバルブ２６を使用することにより流され、粉砕槽２に送られる。
【０００９】
粉砕槽２には粉砕機２２が具備され、この中に流れ込む排泄物や紙を細かく粉砕する。粉砕機２２は常に運転するのではなく、フラッシュバルブ２６が開放され、排泄物等がこの槽２に流れ込んでから細かく粉砕するまでの間だけである。
【００１０】
攪拌槽４には、凝結剤投入機３が備えられ、ここに流れ込む排泄物と凝結剤とを攪拌するための攪拌機４も設けられている。この攪拌槽４も常に運転されるのではなく、粉砕槽２から粉砕された排泄物等が送られてから暫くの間である。
【００１１】
沈殿槽６は固形物と液体とを分離する槽である。しばらくの間貯留させた方が排泄物の重いものと水とが分離が促進されるので、この沈殿槽６は、粉砕槽２や攪拌槽４よりも容量が大きくなっている。沈殿槽6はこれのみでなく、第2沈殿槽９、第3沈殿槽10が備えられている。
【００１２】
固体処理槽７は沈殿槽６の沈殿物を溜め、ヒーター(図示せず)により加熱処理する槽である。
【００１３】
第３沈殿槽１０の隣には水を溜めて置く貯水槽１１が設けられている。貯水槽１１にはポンプ１３が取り付けられ、ポンプ１３には配管１８が接続されている。この配管は大便器１に接続されておりこの途中にはフラッシュバルブ２６が設けられている。液体処理槽１２は余分な水について殺菌する等の処理する槽である。
【００１４】
以下、図１に示されている水循環式のし尿処理装置の動作について説明をする。人が大便器１で用を足し、フラッシュバルブ２６を使用すると、排泄物、この時使用した紙及び水が粉砕槽２に送られる。これらの物が粉砕槽２に送られると、粉砕機２２が駆動し、これらの物を粉砕する。粉砕機２２の働きにより排泄物も紙も細かく砕かれる。
【００１５】
細かく砕かれたこれらの物は、攪拌槽４に送られる。攪拌槽４には凝結剤投入機３が備えられており、ここから凝結剤が投入される。攪拌機２３が駆動すると、凝結剤は細かく砕かれた排泄物や紙及び水と攪拌される。ここで使用する凝結剤は天然の貝化石の粉状のものであり、「エコナイト」として販売されているものである。この特徴は即効性があり、固液分離性が優れていることである。凝結剤を投入し攪拌をすると直ぐに固液分離が始まる。
【００１６】
攪拌された排泄物等は沈殿槽６に送られると、凝結剤により固体となった物は重く沈殿槽５に沈む。凝結剤により固体となった物は、砂粒よりも大きい粒状のものであり、べとつかず疎水性がある物質となる。ここでほとんど固液分離がなされ、沈殿槽６の上澄み水は、幾分色はついているが透明となっている。透明となった上澄み水は、第２、第３の沈殿槽９、１０で、沈殿槽６を通過した固形物を沈殿させる。あえて沈殿槽６、９、１０と３槽設けたのは、念には念を入れ、固液分離を完全に行うこととしたためである。
【００１７】
沈殿槽１０を通過した水は貯水槽１１に蓄えられ、人が用を足しフラッシュバルブが使用されたときに、配管１８内を通過し、大便器１の洗浄と、排泄物の搬送に使用される。
【００１８】
沈殿槽６に沈殿した固形物は、固体処理槽７内で加熱されて水分が除去される。エコナイトは脱臭作用もあり、固体を加熱処理しても余り悪臭は発生しない。固体処理槽７にある程度溜まったらこれを他の場所に搬送する必要があるが、排泄物等を凝固剤で固め、水分を除去すると驚く程少量となり、さらさらしているために不潔感がない。固形物を他に搬送する回数は、トイレの使用回数によって異なるが、使用頻度の高い場合であっても、年に２，３回で充分である。凝結剤が人工的に作られた高分子のものでなく、自然にある貝化石であるために、肥料として利用することも可能である。
【００１９】
貯水槽１１に溜まった水は前記したように、配管１８を通って大便器1の洗浄等に使われるが、貯水槽の堰１７をオーバーフローした水は、液体処理槽１２に送られ、ここで殺菌等の処理がなされた後に放流される。
【図面の簡単な説明】
【００２０】
【図１】し尿処理装置の全体図である
【符号の説明】
【００２１】
１・・大便器
２・・粉砕槽
３・・凝結剤投入機
４・・粉砕槽
６、９、１０・・沈殿槽
７・・固体処理槽
12・・液体処理槽
26・・フラッシュバルブ
【図１】
2008284502.tif 000003
(57)【要約】      （修正有）【課題】発電用圧電セラミックシートを駆動するに適した小型薄型にしてかつ長時間の使用に耐えうる振動子。【解決手段】振動子は短冊形バネ性金属板１の左右の上下面に、同一形状同一質量の圧電セラミック層２、３および４、５の２対をバイモルフ状に形成し、中央部の上下面には硬質プラスチック製の上面押し圧凸部６および下面押し圧凸部７を設ける。【選択図】図１
2008284532.tif 000002
【特許請求の範囲】
【請求項１】
短冊形バネ性金属板１の左右の上下面に、同一形状同一質量の圧電セラミック層２、３および４，５の２対をバイモルフ状に形成し、中央部の上下面には硬質プラスチック製の上面押し圧凸部６および下面押し圧凸部７を設けてなる圧電シート発電用バイモルフ振動子１４。
【請求項２】
本圧電シート発電用バイモルフ振動子１４を用いてなる圧電発電装置。
【発明の詳細な説明】
【技術分野】
【０００１】  本発明は発電用圧電セラミックシートを駆動する装置に関する。
【背景技術】
【０００２】  今日まで発電用圧電セラミックシートを駆動するに適した振動子はなかった。
【産業上の利用分野】
【発明が解決しようとする課題】
【０００３】  本発明は、小型薄型にして、かつ長時間の使用に耐えうる発電用の振動子開発を目的としている。
【課題を解決するための手段】
【０００４】  上記目的を達成するために、本発明の発電手段においては、電気エネルギー効率のよい短冊形バイモルフ圧電セラミックを用いた薄型小型の発電用振動子を開発した。
【０００５】  燐青銅板などバネ材質の金属板をサンドイッチした短冊形バイモルフ圧電セラミックは、小電力で容易に曲げ変形させることができるので、安定した電力を持続的に供給することによって、安定した連続振動を起こさせることができる。
【０００６】  図１は本発明を簡略に示した模式図であって、１は短冊形バネ性金属板、２は左上面圧電セラミック層、３は左下面圧電セラミック層、４は右上面圧電セラミック層、５は右下面圧電セラミック層、６は上面押し圧凸部、７は下面押し圧凸部、８は短冊形バネ性金属板、９は左上面圧電セラミック層、１０は左下面圧電セラミック層、１１は右上面圧電セラミック層、１２は右下面圧電セラミック層、１３は上面押し圧凸部である。
【０００７】  図２はそれぞれ本発明の模式鳥瞰図である。
【０００８】  ３図は本発明の実施例を示した模式図で、１４は本発明の圧電シート発電用バイモルフ振動子、１５はそれぞれ発電用薄膜圧電セラミック積層モジュールである。
【発明の効果】
【０００９】  本発明は、以上説明したように構成されているので、以下に記載されるような効果を奏する。
【００１０】  圧電シート発電用バイモルフ振動子１４は、図示せる様に、短冊形バネ性金属板１の左右の上下面に、同一形状同一質量の圧電セラミック層２、３および４，５の２対をバイモルフ状に形成し、中央部の上下面には硬質プラスチック製の上面押し圧凸部６および下面押し圧凸部７を設けてあることにより、２対のバイモルフ圧電セラミックに通電ずれば、各圧電セラミック層の変形性能により短冊形バネ性金属板１の中央部が上下に振動運動を起こし、該中央部上下面に設けられた上面押し圧凸部６および下面押し圧凸部７も同時に上下振動運動を起こすこととなる。
【００１１】  したがって、この圧電シート発電用バイモルフ振動子１４を図３に示すように、積層された発電用薄膜圧電セラミック積層モジュール１５群の間に一定間隔で圧電シート発電用バイモルフ振動子１４をセットすれば、通電によって起こされる該圧電シート発電用バイモルフ振動子１４の振動運動は、積層された圧電シート発電用バイモルフ振動子１４全体を、強制的に振動させることとなる。
【産業上の利用可能性】
【００１２】  上述したように本発明の圧電シート発電用バイモルフ振動子は、これを複数個用いることにより、多くの発電用薄膜圧電セラミック積層モジュールを強制的に一斉振動させることがかのうである。【００１３】  このことは、本発明の持つ構造が、同一構造の規模の拡大の可能性の大であることをも、物語ってもいる。
【図面の簡単な説明】
【００１４】
【図１】本発明を簡略に示した模式図。
【図２】本発明の模式鳥瞰図。
【図３】本発明の実施例を示した模式図。
【符号の説明】
【００１５】      １、８  短冊形バネ性金属板
２、９  左上面圧電セラミック層
３、１０  左下面圧電セラミック層
４、１１  右上面圧電セラミック層
５、１２  右下面圧電セラミック層
６、１３  上面押し圧凸部
７  下面押し圧凸部
１４  圧電シート発電用バイモルフ振動子
１５  発電用薄膜圧電セラミック積層モジュール
【図１】
2008284532.tif 000003
【図２】
2008284532.tif 000004
【図３】
2008284532.tif 000005
(57)【要約】【課題】  大気圧以下の真空過熱蒸気、すなわち、１００℃以下の温度の過熱蒸気で被加熱物を加熱することのできる真空過熱蒸気装置を提供する。【解決手段】  密閉状の横長円筒タンク１に過熱蒸気供給管３を、過熱蒸気供給口２を介して接続する。過熱蒸気供給管３には過熱器５を介在する。円筒タンク１の下部に吸引手段１２を接続する。吸引手段１２は、エゼクタ１３と循環水タンク１４と循環ポンプ１５で構成する。  円筒タンク１内で被加熱物を加熱する場合は、吸引手段１２でタンク１内を大気圧以下の圧力状態に維持すると共に、過熱蒸気供給管３から所定圧力と温度の過熱蒸気を供給することによって、１００℃以下の過熱蒸気により被加熱物を加熱することができる。【選択図】  図１
2008284024.tif 000002
【特許請求の範囲】
【請求項１】
被加熱物を加熱する熱交換室を形成して、当該熱交換室に加熱用の蒸気を供給して被加熱物を蒸気加熱するものにおいて、熱交換室へ過熱蒸気を供給する過熱蒸気供給管を接続すると共に、熱交換室を大気圧以下の真空状態に維持することのできる吸引手段を接続したことを特徴とする真空過熱蒸気装置。
【発明の詳細な説明】
【技術分野】
【０００１】
本発明は、熱交換室で加熱用の蒸気によって被加熱物を加熱する真空過熱蒸気装置に関する。
【背景技術】
【０００２】
過熱蒸気装置は、過熱蒸気を発生して加熱庫へ注入する過熱蒸気発生手段と、過熱蒸気発生手段を制御する制御手段、及び、水と蒸気の加熱手段を具備したもので、被加熱物としての食品の食味劣化を起こすことのないものであり、各種食品の焼成などに数多く用いられてきた。
【０００３】
この過熱蒸気装置においては、大気圧以下の真空過熱蒸気、すなわち、１００℃以下の温度の過熱蒸気で被加熱物を加熱することができない問題があった。
【特許文献１】特開２０００−１８４９６４号公報
【発明の開示】
【発明が解決しようとする課題】
【０００４】
解決しようとする課題は、大気圧以下の真空過熱蒸気、すなわち、１００℃以下の温度の過熱蒸気で被加熱物を加熱することのできる真空過熱蒸気装置を提供することである。
【課題を解決するための手段】
【０００５】
本発明は、被加熱物を加熱する熱交換室を形成して、当該熱交換室に加熱用の蒸気を供給して被加熱物を蒸気加熱するものにおいて、熱交換室へ過熱蒸気を供給する過熱蒸気供給管を接続すると共に、熱交換室を大気圧以下の真空状態に維持することのできる吸引手段を接続したものである。
【発明の効果】
【０００６】
本発明の真空過熱蒸気装置は、熱交換室へ過熱蒸気を供給する過熱蒸気供給管を接続すると共に、熱交換室を大気圧以下の真空状態に維持することのできる吸引手段を接続したことによって、被加熱物を大気圧以下の真空過熱蒸気、すなわち、１００℃以下の温度の過熱蒸気で加熱することができる。
【発明を実施するための最良の形態】
【０００７】
本発明は、熱交換室に吸引手段を接続するものであるが、吸引手段としては、従来公知の各種真空ポンプを用いることができる。
【実施例１】
【０００８】
本実施例においては、熱交換室として密閉状の横長円筒タンク１を用いた例を示す。横長円筒タンク１の内部に図示しない被加熱物を配置するものである。円筒タンク１の上端に過熱蒸気供給口２を取り付ける。過熱蒸気供給口２に過熱蒸気供給管３を接続する。
【０００９】
過熱蒸気供給管３は、端部を図示しない蒸気ボイラーと管路６で接続すると共に、蒸気エゼクタ４及び過熱器５を介在して過熱蒸気供給口２と接続する。過熱器５には、過熱用媒体供給管７と排出管８をそれぞれ接続する。
【００１０】
管路６から供給される飽和温度蒸気は、過熱器５で飽和温度以上の過熱蒸気へと加熱されて、過熱蒸気供給口２から円筒タンク１の内部全体に供給され、図示しない被加熱物を加熱するものである。
【００１１】
過熱蒸気供給管３に取り付けた蒸気エゼクタ４の吸引口９を、管路１０を介して円筒タンク１の上部側面と接続する。蒸気エゼクタ４は、管路６から供給される飽和温度蒸気により吸引口９で吸引力を発生して、円筒タンク１内の過熱蒸気の一部を吸引することによって、円筒タンク１内の過熱蒸気を強制的に循環させることができるものである。
【００１２】
円筒タンク１の下方に管路１１を介して吸引手段１２を接続する。吸引手段１２は、エゼクタ１３と循環水タンク１４と循環ポンプ１５をそれぞれ循環路１６で接続して構成する。循環水タンク１４の上部には、タンク１４内へ冷却水を補給する冷却水補給管１７と、オーバーフロー管１８をそれぞれ接続する。また、循環路１６の一部を分岐して、余剰水排出管１９を接続する。
【００１３】
横長円筒タンク１内で被加熱物を加熱する場合は、過熱蒸気供給管３から所定の温度並びに圧力に制御された過熱蒸気を円筒タンク１内へ供給すると共に、循環ポンプ１５を駆動してエゼクタ１３へ循環水タンク１４内の循環水を供給することによって、エゼクタ１３で吸引力を発生して、円筒タンク１内を大気圧以下の真空圧力状態に維持することにより、円筒タンク１内へ１００℃以下の過熱蒸気を供給することができ、被加熱物を１００℃以下の過熱蒸気で加熱することができる。
【００１４】
加熱により熱を奪われた蒸気の一部、及び、蒸気の凝縮した凝縮水は、エゼクタ１３へ吸引され循環水タンク１４へと至る。
【００１５】
このように１００℃以下の過熱蒸気によって被加熱物、例えば、肉類や魚類などの食品を焼成する場合に、食品の食味劣化を防止することができる。
【図面の簡単な説明】
【００１６】
【図１】本発明の真空過熱蒸気装置の実施例を示す構成図。
【符号の説明】
【００１７】
１  横長円筒タンク
２  過熱蒸気供給口
３  過熱蒸気供給管
４  蒸気エゼクタ
５  過熱器
１２  吸引手段
１３  エゼクタ
１４  循環水タンク
１５  循環ポンプ
１７  冷却水補給管
【図１】
2008284024.tif 000003
(57)【要約】      （修正有）【課題】数字の大きさが、老人や弱視者にも良く見え、指先だけでなく腕の動きも加わり、複数人でもゲームが行える、ゲーム盤・駒を提供する。【解決手段】ゲーム機のように電源を必要とせず、落下による損傷事故等のない、しかも軽量かつ安価に作成しうるもので、将棋・囲碁と同様いつでも、いつまでも使用出来る数独ゲーム盤・駒であり、対角線有することにより、通常のルールに対角破線にも１〜９の数字が入るゲームもできる。【選択図】図１
2008284176.tif 000002
【特許請求の範囲】
【請求項１】
着磁性を有する数独ゲーム盤に、通常の機能に対角破線を有し、下部に駒置き場を設けチェック機能とした数独ゲーム盤、数独ゲームの駒と、この駒の表面に回答用の白色地に１〜９の数字を配し、裏面に問題設置用の表面と異なる着色をし１〜９の数字を配したことにより、判別出来るようにした駒、さらに駒表面の奇数面に磁石の陽極Ｓ極を、偶数面に陰極Ｎ極を内蔵、駒は駒置き場に分別積み重ねて置く、ゲーム終了時の駒の取り集め時に同種の駒を磁着し、収束が容易となる数独ゲーム盤・駒。
【発明の詳細な説明】
【技術分野】
【０００１】
本発明は、市販のハイテク・ゲーム機の指先と目視だけによるゲームにない、指先と腕
の運動と自作の問題が作成出来る事、さらに複数人でゲームができ、壁に掛けても出来る
数独ゲーム盤・駒に関するものである。
【背景技術】
【０００２】
従来の数独ゲームは、雑誌あるいは小型ゲーム機のみで、盤を用いて操作するものは無
かった、そのために次のような問題点があった。老人や弱視者には、ゲーム機の字が小さ
くて見えにくく困難であり、雑誌は鉛筆で記入した誤りを、極度に消去すると消ゴムで破
損するなどの問題があった。
【発明の開示】
【発明が解決しようとする課題】
【０００３】
数字のおおきさが、老人や弱視者にも良く見え、指先だけでなく腕の動きも加わり、複
数人でもゲームが行える、ゲーム盤・駒を提供することである。
【課題を解決するための手段】
【０００４】
この発明に係る数独ゲーム盤・駒は着磁性を有する数独ゲーム盤に、通常の機能に対角
破線を有し、下部に駒置き場を設けチェック機能とした数独と、この駒の表面に回答用の
白色地に１〜９の数字を配し、裏面に問題設置用の表面と異なる着色をした地に１〜９の
数字を配したことにより、判別できるようにした駒に、さらに駒表面に磁石の陽極Ｓ極を、
偶数面に磁石の陰極Ｎ極を内蔵し、駒は駒置き場に積み重ねて置くものである。
【０００５】
したがってゲーム機のように電源を必要とせず、落下による損傷事故等のない、しかも軽量かつ安価に作成しうるもので、将棋・囲碁と同様いつでも、いつまでも使用出来る事を特徴とする数独ゲーム盤・駒である、対角線を有することにより、通常のルールに対角線にも１〜９の数字がはいるゲームもできる。
【発明の効果】
【０００６】
ゲーム機のように、電源の交換等が不要となり、将棋・囲碁のようにいつでも自在に使
用することができ、追加の費用が掛からず、自力でゲームの感覚を養い、指先だけでなく
腕も動かすため、能力の開発と簡単な運動となる。
【発明を実施するための最良の形態】
【０００７】
図７に示すように、将棋・囲碁と同様、いつでもどこでも数独ゲームが出来る物として軽量かつ簡便に出来る数独ゲーム盤・駒。
【実施例１】
【０００８】
図６に示すように、数独ゲームの問題を自作、例えば下部置き場より適当な駒を取り、
裏の着色面を表面としてマス目の適宜の位置に適当に配する、そしてゲームは下部の駒を
取り白色地の表面を正解当のマス目に入れて行う。一つの駒の置き替えで数十万通りの
問題が作成でき、無限とも思えるゲームができる。
【実施例２】
【０００９】
駒に内蔵の、磁石の奇数極と偶数極の置き換えにより、ゲーム終了時の駒の取り集め時
点で、一枚ずつ掴まず同種の駒を、磁力で磁着できるので、収束が簡単であり駒は置き
場に積み重ねて置く。
【図面の簡単な説明】
【００１０】
【図１】本発明の数独ゲーム盤平面図
【図２】本発明の数独ゲーム盤のＡ−Ａ’断面図
【図３】本発明の数独ゲームの駒平面図
【図４】本発明の数独ゲーム奇数の駒のＢ−Ｂ’断面図
【図５】本発明の数独ゲーム偶数の駒のＢ−Ｂ’断面図
【図６】本発明の数独ゲームの問題設定参考図
【図７】本発明の数独ゲームのゲーム途中の参考図
【符号の説明】
【００１１】
１数独ゲーム盤
２数独ゲーム盤の芯材（鉄板又は着磁性素材）
３数独ゲーム盤の奇数駒の置き場
４数独ゲーム盤の偶数駒の置き場
５数独ゲーム駒表面（白色地に数字）
６数独ゲーム駒裏面（着色地数字）
７数独ゲーム駒芯素材
８磁石
【図１】
2008284176.tif 000003
【図２】
2008284176.tif 000004
【図３】
2008284176.tif 000005
【図４】
2008284176.tif 000006
【図５】
2008284176.tif 000007
【図６】
2008284176.tif 000008
【図７】
2008284176.tif 000009